(57)【要約】【課題】  手動工具類、筆記用具類等の棒状の物品に対して、軸部の断面形状に係わらず装着が可能で、引き紐が軸部の回りに回転自在となる保持具を提供すること。【解決手段】  棒状の物品の軸部が貫通して固定される第一の筒状部２と、引き紐５が接続される第二の筒状部３が、軸受を介して接続され、第一の筒状部が回転自在に保持されている。【選択図】図１
2013103277.tif 000002
【特許請求の範囲】
【請求項１】
棒状の物品の軸部が貫通し固定される第一の筒状部と、引き紐が接続される第二の筒状部が、軸受を介して接続され、第一の筒状部が回転自在に保持されていることを特徴とする保持具。
【請求項２】
前記第一の筒状部は、前記物品の軸部の形状に関わらず貫通し固定できることを特徴とする請求項１に記載の保持具。
【請求項３】
前記第一の筒状部は、前記物品に取り外し可能に取り付けることを特徴とする請求項１または請求項２に記載の保持具。
【発明の詳細な説明】
【技術分野】
【０００１】
本発明は、手動工具類、筆記用具類等の棒状の物品に装着される保持具に関するものである。
【背景技術】
【０００２】
機械組み立て、建設工事等において、様々な手動工具類が使用されている。卓上で使用される機器の例として、パーソナルコンピュータの製造においては、作業机あるいは流れ作業のコンベアラインでドライバー、スパナ、ペンチ、ニッパー、六角レンチ等の棒状の手動工具類が使用されている。
【０００３】
工業機械、例えば、自動車の車体を成型するプレス機械や金属素材を扱う圧延機械、また、建物や化学プラントの鉄骨材のように、大型機械の組み立て、建設工事においても同様に手動工具類が使用されている。
【０００４】
それらの機械、建設物を構成する部材は大きく、数メートルといった寸法の部材が使用されることも珍しいことではなく、それらの部材の組み立ては、ほとんどが高所で行われている。
【０００５】
高所での組み立て作業において、作業者は、腰にベルト等で固定できる工具ホルダーに手動工具類を上から差し込んで保持させていた。
【０００６】
ところが、作業者が、手動工具類を工具ホルダーから取り出す場合、あるいは工具ホルダーに上から差し込む場合に誤って手から手動工具類を滑らせて落下させてしまうおそれがあった。
【０００７】
高所作業中に、誤って手動工具類を落下させた場合には、手動工具類が他の作業者に衝突する危険性があり、作業の安全面からも重要な課題となっていた。
【０００８】
手動工具類の落下防止対策の簡易的な方法として、手動工具類に引き紐を接続して作業者の腰ベルト等に固定する手段が考えられる。
【０００９】
ところが、軸部を回転させて使用する形態の手動工具の場合は、手動工具に引き紐を接続すると、使用中に引き紐が手動工具類に巻きつくことがあり、巻き付いた引き紐を解く作業が必要になり、作業効率が悪くなるという問題があった。
【００１０】
そこで、ドライバー等の丸棒の軸部を有する手動工具に対して、引き紐を軸部に回転自在に保持させ、軸部に巻きつくことを防止した引き紐係止具が特許文献１に記載されている。
【先行技術文献】
【特許文献】
【００１１】
【特許文献１】特開２００１−３２２０７５号公報
【発明の概要】
【発明が解決しようとする課題】
【００１２】
特許文献１に記載された手動工具の引き紐係止具は、引き紐を手動工具の軸部の回りに回転自在な構造とするために、引き紐係止具と手動工具の軸部の間にすき間が設けられ、係止具の抜け止めとして、樹脂または金属のリングが軸部に圧入または接着されている。
【００１３】
この構造では、手動工具の回転と共に係止具、およびリングの間で常にすべり摩擦が生じるため金属粉や樹脂粉が発生し、繰り返し使用していくと、円滑なすべりが得られずに手動工具と引き紐係止具の間の動きが悪くなり、使用中に紐が軸部に巻き付いてしまい作業効率が悪くなるという問題が発生する。
【００１４】
また、特許文献１の引き紐係止具は、軸部が丸棒以外の形状や、太さが均一な形状の手動工具類に取り付けることが難しい複雑な構造であった。
【００１５】
軸部が丸棒ではなく、太さが均一な形状の手動工具類の例として六角棒レンチの場合には、保管用のホルダに引き紐が接続できるものは存在していたが、六角棒レンチの軸部の回りに回転自在に引き紐を接続できる保持具は無かった。
【００１６】
六角棒レンチに引き紐を縛りつけようとすると、太さが均一な棒状であるため固定が困難であり、固定できたとしても、引き紐が使用中に軸部に巻き付いてしまい作業効率が悪くなるという問題があった。
【００１７】
本発明の目的は、手動工具類、筆記用具類等の棒状の物品に対して、軸部の断面形状に係わらず装着が可能で、引き紐が軸部の回りに回転自在となる保持具を提供することにある。
【課題を解決するための手段】
【００１８】
本発明は、上記問題を解決するために手動工具に装着する保持具の構造を検討してなされたものである。本発明によれば、棒状の物品の軸部が貫通し固定される第一の筒状部と、引き紐が接続される第二の筒状部が、軸受を介して接続され、第一の筒状部が回転自在に保持されていることを特徴とする保持具が得られる。
【００１９】
本発明によれば、前記第一の筒状部は、前記物品の軸部の形状に関わらず貫通し固定できることを特徴とする上記の保持具が得られる。
【００２０】
本発明によれば、前記第一の筒状部は、前記物品に取り外し可能に取り付けることを特徴とする上記の保持具が得られる。
【発明の効果】
【００２１】
本発明による保持具を手動工具に装着すると、第二の筒状部に接続された引き紐を作業者の腰ベルト等に固定して、作業を行った場合にも第一の筒状部が回転自在に保持されているので引き紐が手動工具に巻き付くことがなく、巻き付いた引き紐を解く作業がなくなり、作業効率が向上する。
【００２２】
作業者が手動工具類を腰ベルト等に固定して、高所作業を行うことができるので、手動工具類を落下させることが無く、安全性を高めることができる。
【００２３】
本発明による保持具は、軸部が丸棒形状の手動工具に限らず、第一の筒状部の形状をあわせれば、どのような断面形状の棒状の物品でも装着が可能であり、また取り外しも容易である。
【００２４】
したがって、本発明の保持具によれば、手動工具類、筆記用具類等の棒状の物品の軸部の断面形状に係わらず装着が可能で、かつ、引き紐を軸線回りに回転自在に保持することが可能となり、高所作業における安全性も高めることができる。
【図面の簡単な説明】
【００２５】
【図１】本発明の保持具を六角棒レンチに装着した形態の説明図。
【図２】本発明の保持具を六角棒レンチに装着した形態の断面図。
【発明を実施するための形態】
【００２６】
以下、本発明による保持具の実施の形態について、図を参照して詳細に説明する。
【００２７】
図１は、本発明の保持具を六角棒レンチに装着した形態の説明図である。保持具１は、六角棒レンチ６を貫通して固定されている。
【００２８】
六角棒レンチは、一般的な六角断面の金属棒を９０度に曲げたもの、あるいは、先端にボールポイント加工が施されボルトに角度をつけて挿し込んで回すことが可能なボールポイントタイプのどちらでも構わない。
【００２９】
棒状の物品の例として、六角棒レンチを図示したが、本発明の保持具は、手動工具類に限らず筆記用具類等の物品で棒状であれば、第一の筒状部２の貫通穴を合わせれば軸部の断面形状に関わらず装着が可能である。
【００３０】
保持具１は、第一の筒状部２と、第二の筒状部３から構成されている。第一の筒状部２が、六角棒レンチ６に固定され、第二の筒状部に引き紐５が接続されている。
【００３１】
引き紐５は、紐部２５の両端に金具１５、３５が接続された形態をなしている。金具１５は、第二の筒状部３に取り付け、金具３５は、作業者の腰ベルト等に固定するためのものである。
【００３２】
紐部２５は、綿ロープ、ワイヤーロープ等の材質であることが望ましく、伸縮自在となるように、ばね形状となっていてもよい。
【００３３】
金具１５、３５は、第二の筒状部３や作業者の腰ベルト等に接続でき、かつ、紐のねじれを防止することができるため図示したようにフック状の通し穴を有する構造が望ましい。
【００３４】
引き紐５は、金具１５、３５を用いずに紐部２５だけでもよく、両端を第二の筒状部３や作業者の腰ベルト等に固定できる形状であればよい。
【００３５】
次に、図２は、本発明の保持具を六角棒レンチに装着した形態の断面図である。保持具１の内部構造について説明する。
【００３６】
保持具１は、第一の筒状部２と、第二の筒状部３と、軸受４から構成されている。軸受４は、金属製の玉２４と、内輪１４と、外輪３４から構成された玉軸受である。
【００３７】
軸受４と、第一の筒状部２と、第二の筒状部３の接続は、軸受４の内輪１４を、第一の筒状部２に挿入して固定し、軸受４の外輪３４を、第二の筒状部３に挿入して固定している。
【００３８】
第一の筒状部２の材質は、アルミニウム等の金属材料が望ましい。第一の筒状部２の内径部分は、六角棒レンチ６が貫通する内径寸法を有している。
【００３９】
第一の筒状部２の外径部分は、軸受４の内輪１４が挿入される内輪接続部３２と、内輪接続部３２よりも外形寸法の大きな外周部１２を有している。
【００４０】
内輪接続部３２の外径寸法は、軸受４の内輪１４の内径寸法に対してすき間ばめとなる公差に加工されていることが望ましい。
【００４１】
内輪接続部３２には、外周部１２から軸受４の幅の距離に外周に沿って溝を有している。この溝には、軸受４を第一の筒状部２から抜けないようにストッパーとして固定するための第一の止め輪４２が嵌合される。
【００４２】
軸受４の内輪１４を、内輪接続部３２に挿入し、内輪接続部３２と外周部１２との寸法差によって生じる壁に突き当て、内輪接続部３２に設けた溝に第一の止め輪４２を嵌合することによって、第一の筒状部２に固定することができる。
【００４３】
外周部１２には、六角棒レンチ６が挿入される貫通穴に垂直にねじ穴が設けられている。止めねじ２２でねじ止めすることにより、第一の筒状部２を六角棒レンチ６に固定することができる。ここで、外周部１２には、ねじ穴を複数箇所設けて、ねじ止めすることにより強固に固定できる。
【００４４】
第一の筒状部２は、ねじ止めで固定する方法が取り外しも容易であるが、棒状の物品に固定できる方法であれば、他の固定方法であってもよい。
【００４５】
第二の筒状部３についても、アルミニウム等の金属材料が望ましい。第二の筒状部３の内径部分は、第一の筒状部２に装着された軸受４の外輪３４が挿入される外輪接続部３３と、外輪接続部３３よりも内径寸法の小さな内周部１３を有している。
【００４６】
外輪接続部３３の内径寸法は、軸受４の外輪３４の外径寸法に対してすき間ばめとなる公差に加工されていることが望ましい。
【００４７】
外輪接続部３３には、内周部１３から軸受４の幅の距離に内周に沿って溝を有している。この溝には、軸受４を第二の筒状部３から抜けないようにストッパーとして固定するための第二の止め輪４３が嵌合される。
【００４８】
軸受４の外輪３４を、外輪接続部３３に挿入し、外輪接続部３３と内周部１３との寸法差によって生じる壁に突き当て、外輪接続部３３に設けた溝に第二の止め輪４３を嵌合することによって、第二の筒状部３に固定することができる。
【００４９】
内周部１３には、第二の筒状部３の外周から引き紐を接続するための貫通穴２３を有している。
【００５０】
ここで、第二の筒状部３に引き紐を接続するために貫通穴２３を設けたが、貫通穴ではなく、引き紐が接続できれば、他の方法でも構わない。
【００５１】
さて、上述したように、第一の筒状部２に軸受４を固定し、さらに第二の筒状部３を固定し、第二の筒状部３に設けた貫通穴２３に引き紐を接続してなる保持具１の第一の筒状部２の貫通穴に、棒状の物品の例として六角棒レンチ６を通して、ねじ穴に止めねじ２２にてねじ止めを行い固定する。
【００５２】
この保持具１を装着した六角棒レンチ６の引き紐を引っ張った状態を保持して作業者の腰ベルト等に固定してボルト締めを実施した場合でも、軸受が介在しているので、第一の筒状部２のみが回転し、ボルト締めが可能となり、六角棒レンチ６に引き紐が巻き付くことはない。
【００５３】
このように、本発明の保持具を使用することにより、引き紐が手動工具類に巻き付かないため、使用毎に紐の巻き付きを解く作業が不要となり、作業効率を改善でき、高所作業における安全性を高めることができる。
【符号の説明】
【００５４】
１    保持具
２    第一の筒状部
３    第二の筒状部
４    軸受
５    引き紐
６    六角棒レンチ
１２    外周部
１３    内周部
１４    内輪
１５、３５    金具
２２    止めねじ
２３    貫通穴
２４    玉
２５    紐部
３２    内輪接続部
３３    外輪接続部
３４    外輪
４２    第一の止め輪
４３    第二の止め輪
【図１】
2013103277.tif 000003
【図２】
2013103277.tif 000004